(57)【特許請求の範囲】
【請求項１】
カラオケ装置と、携帯端末に処理を実行させるプログラムと、サーバ装置と、を備えるカラオケ管理システムにおいて、
カラオケ装置は、再生処理と、履歴作成処理と、送信処理と、を実行可能とし、
再生処理は、ユーザにより指定された楽曲を再生し、
履歴作成処理は、再生処理で再生した楽曲の楽曲識別情報と、当該楽曲を指定したユーザのユーザ識別情報とを含む履歴情報を形成し、履歴テーブルに登録し、
送信処理は、履歴テーブルを携帯端末に送信し、
プログラムは、履歴受信処理と、撮像処理と、を携帯端末に実行させ、
履歴受信処理は、カラオケ装置に登録された履歴テーブルを受信し、
撮像処理は、受信した履歴テーブルに基づいてユーザを撮像する撮像指示を通知し、撮像指示に対応して撮像された撮像情報を、履歴情報に含まれる情報に対応付けて記憶し、
カラオケ装置、プログラム、サーバ装置の何れかにおいて、映像作品形成処理を実行可能とし、
映像作品形成処理は、履歴テーブルを読み出し、当該履歴テーブルに登録された履歴情報の楽曲識別情報に対応する楽曲音と、当該履歴情報に対応する撮像情報とを対応付けることで、映像作品情報を形成する
カラオケ管理システム。
【請求項２】
撮像処理は、撮像情報をユーザ識別情報に対応付けて記憶し、
映像作品形成処理は、履歴テーブルを読み出し、当該履歴テーブルに登録された履歴情報の楽曲識別情報に対応する楽曲音と、当該履歴情報のユーザ識別情報に対応する撮像情報とを対応付けることで、映像作品情報を形成する
請求項１に記載のカラオケ管理システム。
【請求項３】
撮像処理は、受信した履歴テーブルに基づいて楽曲名とユーザ名とを含む歌唱履歴を表示し、ユーザに指定された歌唱履歴に対して撮像指示を通知し、撮像指示に対応して撮像された撮像情報を、履歴情報に対応付けて記憶する
請求項１または請求項２に記載のカラオケ管理システム。
【請求項４】
プログラムは、ユーザからの指示に応じて、映像作品形成処理で形成した映像作品情報を、インターネット上で公開させる投稿指示を出す指示処理を実行可能とする
請求項１から請求項３の何れか１項に記載のカラオケ管理システム。
【請求項５】
再生処理は、楽曲の再生時、マイクロホンから入力される歌唱音声情報を録音し、
映像作品形成処理は、再生処理で録音された歌唱音声情報を含んだ楽曲音を使用して、映像作品情報を形成する
請求項１から請求項３の何れか１項に記載のカラオケ管理システム。
【請求項６】
映像作品形成処理は、履歴テーブルに登録された履歴情報の順番に基づいて、映像作品情報中の楽曲音の順番を決定する
請求項１から請求項５の何れか１項に記載のカラオケ管理システム。
【請求項７】
再生処理は、楽曲の再生時、マイクロホンから入力される歌唱音声情報に基づいて歌唱評価情報を形成し、
履歴作成処理は、歌唱評価情報を含めて履歴情報を形成し、
映像作品形成処理は、履歴情報中の歌唱評価情報に基づいて、映像作品情報中の楽曲音の順番を決定する
請求項１から請求項５の何れか１項に記載のカラオケ管理システム。
【請求項８】
映像作品形成処理は、履歴情報中のユーザ識別情報に基づいて、映像作品情報中の楽曲音の順番を決定する
請求項１から請求項５の何れか１項に記載のカラオケ管理システム。
【請求項９】
映像作品形成処理は、複数の携帯端末で撮像された撮像情報に基づいて映像作品情報を形成する
請求項１から請求項４の何れか１項に記載のカラオケ管理システム。
【請求項１０】
カラオケ装置と通信可能な携帯端末において実行されるプログラムであって、
カラオケ装置が再生した楽曲の楽曲識別情報と、当該楽曲を指定したユーザのユーザ識別情報とを含む履歴情報を含む履歴テーブルを受信する受信ステップと、
受信ステップで受信した履歴テーブルに基づいてユーザを撮像する撮像指示を通知し、撮像指示に対応して撮像された撮像情報を、履歴情報に含まれる情報に対応付けて記憶する記憶ステップと、
履歴テーブルを読み出し、当該履歴テーブルに登録された履歴情報の楽曲識別情報に対応する楽曲音と、当該履歴情報に対応する撮像情報とを対応付けることで、映像作品情報を形成する形成ステップと、を携帯端末に実行させる
プログラム。
【発明の詳細な説明】
【技術分野】
【０００１】
本発明は、歌唱を楽しむためのカラオケ装置、及び、カラオケ装置とネットワークで接続されたサーバ装置、及び、携帯端末にて実行可能なプログラムを備えたカラオケ管理システム、及び、携帯端末で実行可能なプログラム、及び、カラオケ装置を含んで構成されるカラオケシステムに関する。
【背景技術】
【０００２】
伴奏に合わせて歌唱を楽しむカラオケ装置では、伴奏機能に加え各種機能が搭載されている。近年では、カメラによる撮像を使用し撮像を行い、インターネット上で歌唱の様子を公開する投稿機能を備えたカラオケ装置もある。特許文献１、２には、このようなカメラによる撮像を行う各種カラオケシステムが開示されている。
【０００３】
特許文献１には、携帯型端末装置の撮像装置による撮像データの撮影時点において、カラオケ装置により演奏出力が行われていた楽曲を特定し、撮像データを、特定された楽曲と対応付けてサーバ装置に記憶させることで、撮影された撮像データに関して、どの楽曲のカラオケ演奏を行っている様子を撮影したものか特定でき、その撮像データを同一の楽曲に対応する他の動画と組み合わせるといった処理を行うことを可能とするカラオケシステムが開示されている。
【０００４】
特許文献２には、歌唱時の歌唱者を映像として撮影し、カラオケ利用者による予約楽曲の選曲情報及び選曲情報に付随して所定タイミングで指定される歌唱映像の撮影有無情報を予約待ち行列のカラムに順次記憶して管理し、予約楽曲が演奏される際、撮影有無情報が撮影指定の場合に演奏開始から終了まで撮影手段を稼働させ、撮影手段からの映像データを取得して、録画データ記憶部に記憶することで、総ての楽曲に対して演奏開始から終了まで自動的に映像録画する予約録画を可能とするカラオケシステムが開示されている。
【先行技術文献】
【特許文献】
【０００５】
【特許文献１】特開２０１４−０８５６４４号公報
【特許文献２】特開２００８−１３９３７４号公報
【発明の概要】
【発明が解決しようとする課題】
【０００６】
特許文献１、２に開示されているように、カラオケにおけるカメラの使用では、楽曲の再生時、再生に同期してカメラを駆動することで映像を再生することが通常である。とことで、カラオケの歌唱時には、通常のユーザは、歌唱に集中するため、カメラによる撮影用の顔作りを行うことが困難である。そのため、歌唱時に撮影された映像を、後で見直した場合、がっかりしてしまうことがある。
【０００７】
本実施形態は、このような状況を鑑みたものであり、歌唱、映像ともにユーザが満足することのできる映像作品を形成することで、カラオケの良い思い出とすることを目的とする。
【課題を解決するための手段】
【０００８】
そのため、本実施形態に係るカラオケ管理システムは、
カラオケ装置と、携帯端末に処理を実行させるプログラムと、サーバ装置と、を備えるカラオケ管理システムにおいて、
カラオケ装置は、再生処理と、履歴作成処理と、送信処理と、を実行可能とし、
再生処理は、ユーザにより指定された楽曲を再生し、
履歴作成処理は、再生処理で再生した楽曲の楽曲識別情報と、当該楽曲を指定したユーザのユーザ識別情報を含む履歴情報を形成し、履歴テーブルに登録し、
送信処理は、履歴テーブルを携帯端末に送信し、
プログラムは、履歴受信処理と、撮像処理と、を携帯端末に実行させ、
履歴受信処理は、カラオケ装置に登録された履歴テーブルを受信し、
撮像処理は、受信した履歴テーブルに基づいてユーザを撮像する撮像指示を通知し、撮像指示に対応して撮像された撮像情報を履歴情報に含まれる情報に対応付けて記憶し、
カラオケ装置、プログラム、サーバ装置の何れかにおいて、映像作品形成処理を実行可能とし、
映像作品形成処理は、履歴テーブルを読み出し、当該履歴テーブルに登録された履歴情報の楽曲識別情報に対応する楽曲音と、当該履歴情報に対応する撮像情報を対応付けることで、映像作品情報を形成する。
【０００９】
さらに、本発明に係るカラオケ管理システムにおいて、
撮像処理は、撮像情報をユーザ識別情報に対応付けて記憶し、
映像作品形成処理は、履歴テーブルを読み出し、当該履歴テーブルに登録された履歴情報の楽曲識別情報に対応する楽曲音と、当該履歴情報のユーザ識別情報に対応する撮像情報とを対応付けることで、映像作品情報を形成する。
【００１０】
さらに、本発明に係るカラオケ管理システムにおいて、
撮像処理は、受信した履歴テーブルに基づいて楽曲名とユーザ名を含む歌唱履歴を表示し、ユーザに指定された歌唱履歴に対して撮像指示を通知し、撮像指示に対応して撮像された撮像情報を、履歴情報に対応付けて記憶する。
【００１１】
さらに、本発明に係るカラオケ管理システムにおいて、
プログラムは、ユーザからの指示に応じて、映像作品形成処理で形成した映像作品情報を、インターネット上で公開させる投稿指示を出す投稿指示処理を実行可能とする。
【００１２】
さらに、本発明に係るカラオケ管理システムにおいて、
再生処理は、楽曲の再生時、マイクロホンから入力される歌唱音声情報を録音し、
映像作品形成処理は、再生処理で録音された歌唱音声情報を含んだ楽曲音を使用して、映像作品情報を形成する。
【００１３】
さらに、本発明に係るカラオケ管理システムにおいて、
映像作品形成処理は、履歴テーブルに登録された履歴情報の順番に基づいて、映像作品情報中の楽曲音の順番を決定する。
【００１４】
さらに、本発明に係るカラオケ管理システムにおいて、
再生処理は、楽曲の再生時、マイクロホンから入力される歌唱音声情報に基づいて歌唱評価情報を形成し、
履歴作成処理は、歌唱評価情報を含めて履歴情報を形成し、
映像作品形成処理は、履歴情報中の歌唱評価情報に基づいて、映像作品情報中の楽曲音の順番を決定する。
【００１５】
さらに、本発明に係るカラオケ管理システムにおいて、
映像作品形成処理は、履歴情報中のユーザ識別情報に基づいて、映像作品情報中の楽曲音の順番を決定する。
【００１６】
さらに、本発明に係るカラオケ管理システムにおいて、
映像作品形成処理は、複数の携帯端末で撮像された撮像情報に基づいて映像作品情報を形成する。
【００１７】
また、本発明に係るプログラムは、
カラオケ装置と通信可能な携帯端末において実行されるプログラムであって、
カラオケ装置が再生した楽曲の楽曲識別情報と、当該楽曲を指定したユーザのユーザ識別情報とを含む履歴情報を含む履歴テーブルを受信する受信ステップと、
受信ステップで受信した履歴テーブルに基づいてユーザを撮像する撮像指示を通知し、撮像指示に対応して撮像された撮像情報を、履歴情報に含まれる情報に対応付けて記憶する記憶ステップと、
履歴テーブルを読み出し、当該履歴テーブルに登録された履歴情報の楽曲識別情報に対応する楽曲音と、当該履歴情報に対応する撮像情報とを対応付けることで、映像作品情報を形成する形成ステップと、を携帯端末に実行させる。
【００１８】
また、本発明に係るカラオケシステムは、
携帯端末と通信可能なカラオケシステムであって、
ユーザにより指定された楽曲を再生する再生手段と、
再生手段で再生した楽曲の楽曲識別情報と、当該楽曲を指定したユーザのユーザ識別情報とを含む履歴情報を形成し、履歴テーブルに登録する履歴作成手段と、
履歴作成手段で作成した履歴テーブルを携帯端末に送信する送信手段と、
携帯端末で撮像された撮像情報であって、履歴テーブルに登録された履歴情報に含まれる情報に対応付いた撮像情報を受信する受信手段と、
履歴テーブルを読み出し、受信手段で受信した撮像情報と、履歴テーブルに登録された履歴情報の楽曲識別情報に対応する楽曲音とを対応付けることで、映像作品情報を形成する形成手段と、を備える。
【発明の効果】
【００１９】
本実施形態におけるカラオケ管理システム、プログラム、カラオケシステムによれば、歌唱後した後に歌唱に対する映像を撮像し、履歴情報に対応する楽曲音と、当該履歴情報に対応付けられた撮像情報とを対応付けて映像作品情報を形成することとしている。このような構成により、従来、撮像は歌唱時に行われることが通常であったことに比べ、ユーザは、歌唱時には歌唱に専念し、また、撮像時には撮像用の顔作りを行う等、撮像に専念することが可能となり、ユーザにとって満足のいく映像作品を形成し、カラオケの良い思い出を作ることが可能となる。
【図面の簡単な説明】
【００２０】
【図１】カラオケシステムの構成を示す図
【図２】携帯端末の構成を示す図
【図３】カラオケ管理システムにおける対応付け処理を示すフロー図
【図４】カラオケ管理システムにおける対応付け処理を示す模式図
【図５】カラオケ管理システムにおける遠隔操作処理を示すフロー図
【図６】カラオケ管理システムにおける遠隔操作処理を示す模式図
【図７】携帯端末に表示された楽曲確認画面を示す図
【図８】リモコン装置に表示されたアクティブユーザトップ画面を示す図
【図９】カラオケ装置で実行されるメイン処理を示すフロー図
【図１０】カラオケ装置で実行される楽曲再生処理を示すフロー図
【図１１】カラオケ管理システムで使用する履歴テーブルを示す図
【図１２】携帯端末で実行される撮像・映像作品形成処理を示すフロー図
【図１３】カラオケ管理システムにおける履歴リスト配信の様子を示す図
【図１４】携帯端末に表示された撮像画面を示す図
【図１５】携帯端末に表示された撮像選択画面を示す図
【図１６】映像作品情報の各種形態を示す図
【発明を実施するための形態】
【００２１】
図１は、本発明の実施形態に係るカラオケシステムの構成を示す図である。本実施形態におけるカラオケシステムは、カラオケ装置２（コマンダ）と、リモコン装置１を含んで構成されている。カラオケ装置２とリモコン装置１は、ＬＡＮ１００及びアクセスポイント１１０を利用してネットワークを形成するように接続されている。
【００２２】
カラオケボックスなどの店舗に設置されるカラオケ装置２は、楽曲を演奏するための演奏手段として音響制御部２５を備えている。また、カラオケ装置２は、ユーザからの各種入力を受け付けるスイッチなどで構成されるカラオケ装置２側の入力手段としての操作部２１を備える。カラオケ装置２は、操作部２１からの入力を解釈して制御部３０に伝達する操作処理部２２を備える。また、カラオケ装置２は、各種情報を記憶するカラオケ装置側記憶手段としてのＨＤＤ３２（ハードディスク）を備える。カラオケ装置２は、ＬＡＮ１００に接続してネットワークに加入するためのカラオケ装置側通信手段としてのＬＡＮ通信部２４を備えている。
【００２３】
また、カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対する歌詞テロップの重畳表示、映像効果等を実行する映像制御部３１を備えている。
【００２４】
さらに、このカラオケ装置２では、外部に接続されたモニタ４１以外に、タッチパネルモニタ３３に対しても各種情報を表示することを可能としている。タッチパネルモニタ３３は映像制御部３１から入力された映像情報を表示する表示部３３ａと、タッチ入力された位置を操作処理部２２に出力するタッチパネル３３ｂが重畳されて構成されている。また、カラオケ装置２に対する各種操作は、カラオケ装置２のフロントパネル等に設けられた操作部２１を介して行うことも可能となっている。
【００２５】
本実施形態のタッチパネルモニタ３３は、リモコン装置１の操作手段であるタッチパネルモニタ１１と同様の操作手段として機能することも可能としている。ユーザはタッチパネルモニタ３３から楽曲を選択して、直接カラオケ装置２に予約をさせるなど、リモコン装置１と同等の操作手段として機能することが可能である。
【００２６】
さらに、カラオケ装置２は、各構成を統括して制御するための制御手段として、ＣＰＵにて構成される制御部３０、各種プログラムを実行するにあたって必要となる情報を一時記憶するためのメモリ２７を備えている。
【００２７】
このような構成にてカラオケ装置２は、各種処理を実行することとなるが、カラオケ装置２の主な機能として、楽曲指定処理、再生処理などを実行可能としている。楽曲指定処理は、ユーザからの指定に基づいて楽曲を指定、予約するための処理であってリモコン装置１と連携して実行される。リモコン装置１から送信された予約情報をメモリ２７に記憶する予約テーブルに登録する。再生処理は、予約された楽曲を再生させる処理であって、演奏処理と歌詞再生処理とが同期して実行される処理である。
【００２８】
演奏処理は、楽曲データに含まれる演奏データを音響制御部２５にて演奏させる処理である。音響制御部２５にて演奏された楽曲は、歌唱用マイク４４ａ、４４ｂから入力される歌唱音声と一緒にスピーカ４２から放音される。歌詞再生処理は、楽曲データに含まれる歌詞データをモニタ４１に表示させることで歌唱補助を行う処理である。この歌詞再生処理で表示される歌詞に、背景映像を重畳させて表示させる背景映像表示処理を実行することとしてもよい。
【００２９】
一方、リモコン装置１は、予約情報などカラオケ装置２に対して各種指示を送信するとともに、カラオケ装置２あるいはインターネット上に接続されたサーバ装置５から各種情報を受信する。本実施形態では、ユーザインターフェイスとしてボタンなどの操作部１７と、タッチパネルモニタ１１を備えている。タッチパネルモニタ１１は、表示部１１ａとタッチパネル１１ｂを有して構成され、表示部１１ａに各種インターフェイスを表示するとともに、ユーザからのタッチ入力を受付可能としている。
【００３０】
さらにリモコン装置１は、楽曲検索に必要とされるデータベース、各種プログラム、並びに、プログラム実行に伴って発生する各種情報を記憶するリモコン側記憶手段としてメモリ１４、そして、これら構成を統括して制御するためのリモコン側制御手段を備えて構成される。リモコン側制御手段には、ＣＰＵにて構成される制御部１５、表示部１１ａに対して表示する映像を形成する映像制御部１３、表示する映像情報を一時的に蓄えるビデオＲＡＭ１２、操作部１７からの入力を解釈して制御部１５に伝達する操作処理部１８が含まれている。
【００３１】
リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種指令は、対応付けされたカラオケ装置２にて受信されることとなる。
【００３２】
次に、本発明においてユーザが所持する携帯端末６について説明する。図２は、本発明の実施形態に係る携帯端末６の構成を示す図である。この携帯端末６としては、スマートフォン、タブレット端末、携帯電話等を使用することが可能である。この携帯端末６に、本発明に係るプログラム（アプリ）をインストールし、プログラム上において対応付け処理を実行することで、携帯端末６をカラオケ装置２のリモコンとして使用することが可能となる。
【００３３】
本実施形態の携帯端末６は、制御部６１、ＲＡＭ６２、記憶部６３、画像処理部６４、音響処理部６６を含んで構成された制御手段を有している。記憶部６３には、ハードディスク、ＳＳＤ等の不揮発性の記憶手段を採用することが可能である。この記憶部６３には、本実施形態における各種処理を実行可能なプログラム、そして、当該プログラムで使用する各種データが記憶される。
【００３４】
制御部６１は、ＣＰＵ等、携帯端末６全体を統括して制御する手段であり、記憶部６３に記憶されたプログラム、データに基づいて各種制御を実行する。ＲＡＭ６２には、制御部６１の制御によって生成されたデータを一時的に格納する。
【００３５】
音響処理部６６は、携帯端末６の音響関係の入出力を行う手段である。制御部６１の制御によりスピーカ６７ａに放音させる手段である。また、音響処理部６６は、マイクロホン６７ｂと接続され、マイクロホン６７ｂから周囲の音声を取り込み可能としている。
【００３６】
タッチパネル表示部６８は、画像を表示する表示部６８ｂとその表面あるいは裏面に配設されるタッチパネル６８ａを有して構成されている。タッチパネル６８ａには、静電容量方式などユーザのタッチ位置を認識可能とする各種タイプを採用することが可能である。制御部６１は、表示部６８ｂに表示を行うとともに、タッチパネル６８ａからのタッチ入力にて、表示させている画像中のどの部分にタッチ入力されたかを判定することが可能である。
【００３７】
画像処理部６４は、携帯端末６の画像関係の入出力を行う手段である。画像処理部６４は、制御部６１で形成された画像情報を表示部６８ｂに表示出力する。また画像処理部６４は、携帯端末６の前面（タッチパネル表示部６８側）に配置されたフロントカメラ６５Ｆ、もしくは、携帯端末６の背面に配置されたリアカメラ６５Ｒから画像を取り込む機能を有する。
【００３８】
本実施形態の携帯端末６は、外部と通信を行うため、携帯網通信部６９ａと、無線ＬＡＮ通信部６９ｂを備えている。携帯網通信部６９ａは、携帯無線網を介した無線通信を行うことが可能であり、無線基地局と無線通信することで、通話、あるいは、インターネットを使用した通信を行うことが可能である。無線ＬＡＮ通信部６９ｂは、ＬＡＮ上に接続されたアクセスポイントに無線接続することで無線ＬＡＮ通信を行うことが可能である。アクセスポイントに無線接続することで、ＬＡＮ上のネットワーク、あるいは、インターネットに通信接続することが可能である。
【００３９】
携帯端末６は、このような携帯網通信部６９ａ、あるいは、無線ＬＡＮ通信部６９ｂを使用して、インターネット上のサーバから各種処理を実行可能なプログラムを含む各種プログラム（「アプリ」とも呼ばれる）をダウンロードすることが可能である。なお、プログラムは、通信回線を利用した形態以外に、外部メモリ接続端子７２に接続された外部メモリＥＸからインストールすることとしてもよい。なお、このような携帯網通信部６９ａ、無線ＬＡＮ通信部６９ｂ以外に、近距離通信手段（赤外線通信、Ｂｌｕｅｔｏｏｔｈ（商標）など）をさらに設けることとしてもよい。
【００４０】
本実施形態の携帯端末６は、入力手段としてタッチパネル６８ａ以外に入力スイッチ７０を備えて構成されている。この入力スイッチ７０には、電源スイッチ、音量調整スイッチ、実行するプログラムによって入力用途が変更されるスイッチ等、各種スイッチを設けることが可能である。
【００４１】
本実施形態の携帯端末６は、カラオケ業者が提供するプログラムをインストール、実行することで、携帯端末６と操作対象となるカラオケ装置２とを対応付け、携帯端末６からカラオケ装置２に対して楽曲の予約コマンド等、各種コマンドを送信することを可能としている。
【００４２】
図１で説明したカラオケ店舗に設置されるカラオケシステムにおいて、カラオケ店舗に来店したユーザは、自己の所持する携帯端末６を使用対象となるカラオケシステムのリモコンとして機能させることを可能としている。そのため、本実施形態のカラオケ管理システムでは、ユーザが所持する携帯端末６と、使用対象となるカラオケシステムを対応付ける対応付け処理を行う。ここで、本実施形態におけるカラオケ管理システムとは、サーバ装置５と、携帯端末６で実行可能なプログラムと、少なくともカラオケ装置２を有するカラオケシステムと、を含んで構成されている。ユーザが所持する携帯端末６はカラオケ管理システムに含まれない。
【００４３】
では、携帯端末６をカラオケ装置２のリモコンとして機能させるための対応付け処理の一例を紹介する。なお、対応付け処理には、ここで紹介する例の他に各種形態が存在する。本発明では、ユーザが所持する携帯端末６と使用対象となるカラオケシステムとを対応付ける対応付け処理であれば、様々な形態の対応付け処理を採用できるものであって、利用通信環境や、サーバ装置５の使用有無等の各種条件を問うものではない。
【００４４】
図３には、本実施形態のカラオケ管理システムにおける対応付け処理を示すフロー図が示されている。また、図４には、カラオケ管理システムにおける対応付け処理を示す模式図が示されている。本実施形態の対応付け処理は、ユーザが使用対象となるカラオケシステムにログインするとともに、同じアカウントを使用して携帯端末６でログインすることでユーザの携帯端末６とカラオケシステムとの対応付けを行うこととしている。
【００４５】
カラオケ店舗に来店したユーザは、リモコン装置１等の入力手段を使用して、自分のアカウント情報を入力する（Ｓ３０１）。カラオケシステムは、アカウント情報の入力に基づき、サーバ装置５に対して装置側ログイン要求を送信する（Ｓ３０１）。なお、この装置側ログイン要求には、どのカラオケシステムからの要求であるかを特定するため、カラオケ装置ＩＤ（カラオケ装置識別情報）が含まれている。装置側ログイン要求を受信（Ｓ２０１）したサーバ装置５は、受信した端末側ログイン要求に含まれるアカウント情報を利用して認証を行う（Ｓ２０２）。認証は、アカウント情報に含まれるユーザＩＤとパスワードの対が、サーバ装置５側の記憶部５１に記憶しているものと一致するか否かで行われる。認証に成功した場合（Ｓ２０３：Ｙｅｓ）、要求のあったカラオケシステムに対してログイン完了を通知する（Ｓ２０４）。ログインが完了したカラオケシステムでは、ログインしたユーザに対応するユーザ情報を使用した各種サービスを受けることが可能となる（Ｓ３０２）。一方、認証に失敗した場合（Ｓ２０３：Ｎｏ）には、サーバ装置５は、要求のあったカラオケシステムに対して認証エラー情報を送信する。
【００４６】
サーバ装置５は、カラオケシステムからのログインに成功した場合、記憶部５１に記憶している対応付けテーブルにカラオケ装置ＩＤとユーザＩＤとを追加する（Ｓ２０５）。この対応付けテーブルにて、サーバ装置５側では、どのユーザがどのカラオケシステムにログインしているかを判別することが可能となる。
【００４７】
一方、ユーザは、自分が所持する携帯端末６において、プログラムを起動し、端末側ログイン要求をサーバ装置５に送信する（Ｓ１０１）。この端末側ログイン要求には、ユーザのアカウント情報（ユーザＩＤとパスワード）が含まれている。端末側ログイン要求を受信したサーバ装置５は、装置側ログイン要求の場合と同様、受信した端末側ログイン要求に含まれるアカウント情報を利用して認証を行う（Ｓ２０６）。認証に成功した場合（Ｓ２０７：Ｙｅｓ）、サーバ装置５は、記憶部５１に記憶している対応付けテーブルに、端末側ログイン要求を行ったユーザのユーザＩＤがあるか否かを判定し、当該ユーザＩＤが有る場合（Ｓ２０８：Ｙｅｓ）、携帯端末６とカラオケシステムとの対応付けを完了する（Ｓ２０９）。そして、要求のあった携帯端末６に対応付け完了通知を送信する（Ｓ２１０）。対応付けの完了した携帯端末６では、対応付けられたカラオケシステムを遠隔操作する遠隔操作処理（Ｓ１１０）が実行可能となる。
【００４８】
以上、本実施形態の対応付け処理について説明を行ったが、装置側ログイン要求と端末側ログイン要求は、どちらが先にあるかを問うものではない。次に、対応付けられた携帯端末６において実行される遠隔操作処理（Ｓ１１０）の詳細について説明を行う。
【００４９】
図５は、本実施形態のカラオケ管理システムにおける遠隔操作処理を示すフロー図であり、図６は、本実施形態のカラオケ管理システムにおける遠隔操作処理を示す模式図である。図６の模式図の例に示されるように、ユーザ（ユーザＡ）が所持する携帯端末６と、当該ユーザが使用対象とするカラオケ装置２（カラオケ装置ａ）と、が対応付けられたカラオケ管理システムでは、携帯端末６からカラオケシステムに対して、楽曲の予約等、カラオケシステムを遠隔操作するための各種コマンド情報を送信することが可能である。
【００５０】
遠隔操作処理は、対応付け処理の完了後、Ｓ４０１〜Ｓ４０３の処理を繰り返し実行することで、携帯端末６によるカラオケシステムの操作を行う。図７には、携帯端末６のタッチパネル表示部６８に表示される楽曲確認画面が示されている。楽曲確認画面は、ユーザにより指定された楽曲名、歌手名等に基づいて指定された楽曲の詳細を示す画面であり、ユーザは楽曲確認画面にて楽曲を予約することが可能である。楽曲確認画面には、歌手名、曲名、歌い出し、楽曲に関するサムネイル画像といった楽曲関連情報６０１の他、キー設定、曲タイプ設定、投稿機能設定等、楽曲設定情報６０２が表示される。ユーザは、予約ボタン６０３を操作することで、表示されている楽曲を対応付けられたカラオケ装置２に予約することが可能となる。
【００５１】
携帯端末６では、楽曲確認画面上、予約ボタン６０３をタッチ操作する等の行為により、コマンド入力があったことを判定した場合（Ｓ４０１：Ｙｅｓ）、サーバ装置５に対して送信コマンド情報を送信する（Ｓ４０２）。送信コマンド情報には、コマンド入力に対応するコマンド（コマンドＡ）と、携帯端末６に記憶しているユーザＩＤ（ユーザＡ）が含まれている。
【００５２】
サーバ装置５は、対応付けテーブルに基づいて転送処理を実行する。転送処理では、まず、対応付けテーブル上に、携帯端末６から送られてきた送信コマンド情報内のユーザＩＤ（ユーザＡ）が存在するか否かを判定する。対応付けテーブル上に、送信コマンド情報内のユーザＩＤがある場合、転送対象となるカラオケ装置２に対して転送コマンド情報を送信する。転送コマンド情報には、送信コマンド情報内のコマンド（コマンドＡ）と、宛先としてのカラオケ装置ＩＤ（カラオケ装置ａ）と、コマンドを入力したユーザのユーザＩＤ（ユーザＡ）が含まれている。転送コマンド情報を受信したカラオケ装置２（カラオケ装置ａ）は、転送コマンド情報に含まれるコマンド（コマンドＡ）に従って処理を実行する。
【００５３】
携帯端末６を使用した遠隔操作処理は、携帯端末６において終了指示（ログアウト、あるいは、対応付け解除の指示）が入力される（Ｓ４０３：Ｙｅｓ）まで、繰り返し実行される。終了指示が入力された場合（Ｓ４０３：Ｙｅｓ）、携帯端末６は、サーバ装置５に対応付け解除指示を送信する（Ｓ４０４）。対応付け解除指示を受信したサーバ装置５は、対応付けテーブルから該当する項目（カラオケ装置ＩＤとユーザＩＤの対）を削除する。
【００５４】
本実施形態では、ユーザはカラオケシステムにもログインしているため、リモコン装置１を使用した遠隔操作処理を行うことが可能である。図８には、カラオケシステムにログインした際、リモコン装置１のタッチパネルモニタ１１に表示されるアクティブユーザトップ画面が示されている。アクティブユーザトップ画面では、複数人がログインした状態ではログインユーザ欄１０３にログインしたユーザの分身像１０３ａ〜１０３ｅ（本実施形態では顔部分）が表示される。またログインユーザ欄１０３中、右端に背景がハイライトで示されるユーザは、アクティブユーザ１０３ｅであって、図に示す状態では、このアクティブユーザ１０３ｅに対するサービス、すなわち、アクティブユーザ１０３ｅのユーザ情報を利用したサービスが実行されている状態となっている。このアクティブユーザトップ画面では、「曲を探す」を選択することで、従来の歌本と同様、歌手名、楽曲名に基づく検索を行うことができる。
【００５５】
リモコン装置１の操作により、入力されたコマンド（コマンドＢ）は、ユーザＩＤ（ユーザＡ）と一緒に、コマンド情報としてカラオケ装置２に送信される。コマンド情報を受信したカラオケ装置２（カラオケ装置ａ）は、コマンド情報に含まれるコマンド（コマンドＢ）に従って処理を実行する。
【００５６】
このように本実施形態では、ユーザがログインしたカラオケシステム、あるいは、携帯端末から、使用対象となるカラオケシステムに対する遠隔操作を行うことが可能である。では、ユーザがログインしたカラオケシステムにおいて、カラオケ装置２で行われるメイン処理について説明を行う。
【００５７】
図９は、カラオケ装置で実行されるメイン処理を示すフロー図である。このメイン処理は、カラオケボックス等のカラオケ店舗の来店時から開始される処理である。来店中、カラオケ装置２では、ユーザの指示に従って楽曲再生処理（Ｓ６００）を実行する。図１０には、カラオケ装置２で実行される楽曲再生処理を示すフロー図が示されている。携帯端末６、あるいは、リモコン装置１は、ユーザによる楽曲の予約指示が行われた場合、予約する楽曲を識別するための楽曲ＩＤ、及び、予約したユーザのユーザ情報を含んだ予約情報をカラオケ装置２に送信する。カラオケ装置２では、受信した予約情報をメモリ２７内の予約テーブルに追加して管理する。
【００５８】
楽曲再生処理では、カラオケ装置２は、予約テーブルを参照し、次に再生させる楽曲の有無が判定される（Ｓ６０１）。予約テーブル中、次に再生させる楽曲がある場合（Ｓ６０２：Ｙｅｓ）、予約情報中の楽曲ＩＤにて指定されている楽曲情報を音響制御部２５に再生開始させる（Ｓ６０３）。本実施形態の楽曲再生処理では、楽曲の再生期間中、録音処理（Ｓ６０４）と、歌唱音声情報に対する評価を行う歌唱評価処理（Ｓ６０５）を実行する。録音処理（Ｓ６０４）は、歌唱用マイク４４ａ、４４ｂから入力される歌唱音声信号を録音し、歌唱音声情報として記録する処理である。歌唱評価処理（Ｓ６０５）は、歌唱用マイク４４ａ、４４ｂから入力される歌唱音声信号を、再生中の楽曲の基準音と比較して得点（歌唱評価情報）を算出する等、歌唱音声信号に対する評価を行う処理である。本実施形態では、録音処理で記録された歌唱音声情報と、歌唱評価処理で算出された歌唱評価情報は、映像作品形成処理において使用する形態がある。
【００５９】
楽曲の再生が終了したことが判定された場合（Ｓ６０６：Ｙｅｓ）、カラオケ装置２は、再生した楽曲に関する履歴情報を形成（Ｓ６０７）し、履歴テーブルに記録する（Ｓ６０８）。図１１には、履歴テーブルのデータ構成が示されている。履歴テーブルは、ユーザが入店してから形成された履歴情報の集積である。各履歴情報は、入店してからの歌唱順を示す歌唱順番号、再生した楽曲の楽曲ＩＤ、再生した楽曲を指定したユーザのユーザＩＤ、再生した日時、時間等を示す時間情報、歌唱評価処理で算出された歌唱評価情報（この場合、得点）、録音処理で記録された歌唱音声情報を含んで構成されている。また、履歴テーブルには、履歴テーブルを識別するために付与された履歴テーブルＩＤ、使用したカラオケ装置２を示すカラオケ装置ＩＤ、カラオケ装置２が設置されている店舗を示す店舗ＩＤを有している。この履歴テーブルを使用して、撮像処理、及び、映像作品形成処理が実行される。
【００６０】
以上説明した楽曲再生処理（Ｓ６００）は、ユーザが退店するまで繰り返し実行される。ユーザが退店する際、あるいは、次のユーザの来店時等に、カラオケ装置２に対して利用終了指示が入力される。この利用終了指示は、店舗の従業員、あるいは、利用するユーザによって入力される。利用終了指示が入力された場合（Ｓ５０１：Ｙｅｓ）カラオケ装置２は、記録している履歴テーブルをサーバ装置５に送信する（Ｓ５０２）。そして、記録している履歴テーブルの内容をリセット（消去）し、次のユーザの使用による履歴テーブルの形成に備える。
【００６１】
本実施形態では、カラオケ装置２の利用で形成された履歴リストを使用して、映像作品情報を形成することとしている。映像作品情報は、来店したユーザにより歌唱された楽曲を、音声と映像にて鑑賞可能とする情報であり、ユーザは来店時、誰がどの楽曲を歌唱したかを追体験することが可能である。また、映像作品情報に使用する映像は、履歴リストを使用して歌唱時ではなく、事後的（退店後など）に撮像することとしている。歌唱時には、ユーザは歌唱に集中するため、撮影に適した顔作りをすることが困難であることが考えられる。本実施形態では、非歌唱時に映像作品情報用の撮像を行うことで、映像作品に適した顔作りで撮像を行うことが可能となる。
【００６２】
図１２は、携帯端末６で実行される撮像・映像作品形成処理を示すフロー図を示している。また、図１３は、カラオケ管理システムにおける履歴リスト配信の様子を示している。撮像・映像作品形成処理は、携帯端末６において、履歴リストを受信することで開始する。本実施形態では、携帯端末６は、カラオケ装置２とサーバ装置５を経由して対応付けられているため、履歴リストの受信は、サーバ装置５を介して行われる。前述したように対応付け処理の形態は、携帯端末６とカラオケ装置２と無線ＬＡＮを使用して直接対応付ける等、各種形態を使用することが可能である。したがって、履歴リストの配信は、サーバ装置５が行う形態のみならず、カラオケ装置２から配信する等、各種形態を使用することが可能である。図１３に示されるように、リモコン装置１を使用して利用終了指示が入力された場合（図１３の第１の丸）、カラオケ装置２は、利用に基づいて形成された履歴リストをサーバ装置５に送信する（図１３の第２の丸）。そして、対応付けテーブルを参照する、あるいは、受信した履歴リストを参照することで、対象となるユーザを特定し、履歴リストを配信する（図１３の第３の丸）。図１３の例では、３人のユーザＡ〜Ｃの携帯端末６に履歴リストを配信した場合となっている。
【００６３】
撮像・映像作品形成処理は、履歴リストを受信した携帯端末６において、撮像処理と、映像作品形成処理を実行する処理である。携帯端末６では、受信した履歴リストを読み出し（Ｓ７０１）、履歴リスト中の各履歴情報について撮像を開始する。本実施形態では、履歴情報の歌唱番号順に静止画の撮像を行うこととしている。なお、撮像情報には、静止画のみならず、動画を使用することも可能である。まず、撮像対象となる歌唱順番号ｎを１に設定する（Ｓ７０２）。そして、撮像対象となる歌唱番号の履歴情報に基づいて撮像画面を形成する（Ｓ７０３）。
【００６４】
図１４には、携帯端末６に表示された撮像画面が示されている。撮像画面には、リアカメラ６５Ｒで撮像している映像を表示するライブビューエリア６０５、撮像対象としている履歴情報に関する情報（この例では、ユーザ名、楽曲名、歌唱評価情報）を表示する履歴関連情報表示欄６０６、撮像対象としている履歴情報の歌唱順番号、及び、全歌唱数を表示する番号表示欄、次の履歴情報の撮像に進むための進行ボタン６０８、撮像を指示する撮像ボタン６０９、撮像した撮像情報を、映像作品情報中のどのタイミングで使用するかを指示する使用箇所指示ボタン６０４が表示されている。
【００６５】
ユーザは、履歴関連情報表示欄６０６を使用して、撮像対象となるユーザ名を確認し、撮像を行う。図１４は、歌唱順番号が「１」の履歴情報について、撮像を行っている様子を示したものであり、この場合、撮像対象となるユーザは「ユーザＡ（Ａさん）」である。携帯端末６を所持するユーザは、Ａさんに対してリアカメラ６５Ｒを向け、撮像ボタン６０９を操作して撮像を行う（Ｓ７０４）。撮像ボタン６０９の操作により、撮像情報が形成される（Ｓ７０５）と、撮像情報に対して、現在の歌唱順番号ｎに関する履歴情報を対応付けて記憶部６３に記憶する（Ｓ７０６）。その際、どの履歴テーブルか判別できるように履歴テーブルＩＤも対応付けておくことが好ましい。本実施形態では、このように撮像情報と履歴テーブル中の履歴情報を対応付けることで、撮像情報が、予約テーブル中のどの歌唱順番号の楽曲に対応付けられたかを判定することが可能である。撮像情報と履歴情報の対応関係は、映像作品情報の形成に使用される。この対応関係を使用して、撮像情報を履歴情報の再生対象となった楽曲音とを対応付け映像作品情報が形成される。なお、本実施形態では、撮像情報と履歴情報を対応付けているが、この対応付けは、履歴情報中の全ての情報を必要するものではなく、履歴情報に含まれる一部の情報を使用して行うことが可能である。例えば、履歴テーブルＩＤと歌唱順番号を使用する形態、あるいは、履歴テーブルＩＤと時間情報を使用する形態、あるいは、履歴テーブルＩＤと楽曲ＩＤとユーザＩＤを使用する形態等を使用して、対応付けを行うことが可能である。あるいは、各履歴情報に対して、履歴情報を他の識別情報と区別して識別可能な履歴ＩＤを利用することとしてもよい。
【００６６】
このように本実施形態では、撮像情報と履歴情報を対応付けているが、撮像情報は、ユーザＩＤに対応付けることとしてもよい。すなわち、撮像情報は、どの履歴情報に対応しているかを必ずしも対応付ける必要はない。撮像情報とユーザＩＤとを対応付けた場合、映像作品情報では、同一ユーザが歌唱した楽曲に対応する楽曲音については、撮像情報を共有（流用）することも可能である。例えば、図１１の履歴テーブル中、ユーザＡについて撮像した撮像情報を、歌唱番号「１」、「４」、「７」に対応する楽曲音に対して共有することが可能である。ユーザは、現在の履歴情報について、複数回、撮像を行うことが可能である。また、歌唱順番号ｎは、「１」から履歴リスト中、最後の歌唱順番号「Ｎ」（図１１の例ではＮ＝７）まで実行される。次の履歴情報について、撮像を行いたい場合、ユーザは、撮像画面に表示されている進行ボタン６０８を操作する（Ｓ７０７：Ｙｅｓ）。その場合、現在の歌唱順番号ｎに１を加算し（Ｓ７０９）、次の履歴情報に基づいて撮像画面を更新する（Ｓ７１０）。
【００６７】
進行ボタン６０８を操作した際（Ｓ７０７：Ｙｅｓ）、最後の撮像情報「Ｎ」を超過した場合（Ｓ７０８：Ｙｅｓ）には、一連の撮像処理を終了し、撮像した撮像情報を使用して、映像作品形成処理を実行する（Ｓ７１１）。以上、一連の撮像処理について説明を行ったが、撮像処理は、このように履歴リスト中の履歴情報の順番に従って撮像する以外に、各種形態を使用することが可能である。図１５には、携帯端末６に表示された撮像選択画面が示されている。撮像処理では、このように履歴リストに基づいて撮像選択画面を表示し、撮像対象となる履歴情報を選択することとしてもよい。この撮像選択画面には、各撮像情報について、履歴関連情報６１０と、サムネイル画像表示欄６１１が表示される。ユーザは、表示されている履歴関連情報６１０の部分、あるいは、サムネイル画像表示欄６１１を選択することで撮像画面に移行し、選択された履歴情報に対する撮像を行うことが可能であり、任意の順番で履歴情報に対する撮像を行うことができる。撮像が完了した履歴情報については、サムネイル画像表示欄６１１に撮像した撮像情報のサムネイル画像が表示される。また、撮像が完了していない履歴情報については、サムネイル画像表示欄にカメラの形状のアイコンが表示される。撮像を終えたユーザは、映像作品作成ボタン６１２を操作することで、映像作品形成処理へと移行する。
【００６８】
映像作品形成処理は、履歴リスト中の履歴情報に対応する楽曲音を演奏するとともに、履歴情報に対応して撮像された撮像情報を表示する、いわば、スライドショー的な映像作品を形成する処理である。
本実施形態では、この映像作品形成処理を携帯端末６において実行することとしている。映像作品形成処理は、このように携帯端末６において行う以外に、カラオケ管理システムを構成するサーバ装置５、あるいは、カラオケシステム（カラオケ装置２を含んで構成されている）で行う形態、あるいは、携帯端末６、サーバ装置５、カラオケシステムが連携して行う形態を使用することが可能である。
【００６９】
カラオケシステム（カラオケ装置２を含んで構成され、リモコン装置１を含む場合もある）において映像作品形成処理を行う場合、携帯端末６から、履歴情報に含まれるユーザＩＤに対応付けて記憶された撮像情報が、サーバ装置５を介して、もしくは、直接カラオケシステムに送信される。このとき、撮像情報には、携帯端末６で撮像情報を撮像した際に参照した履歴テーブルの履歴テーブルＩＤがさらに含まれていても良い。撮像情報を受信したカラオケシステムは、履歴テーブルが複数存在する場合は、撮像情報に対応付いた履歴テーブルＩＤに基づいて履歴テーブルを読み出す。そして、履歴テーブルに登録されている履歴情報に含まれるユーザＩＤに対応する撮像情報と、当該履歴情報に含まれる楽曲ＩＤに対応する楽曲音を対応付ける映像作品形成処理を実行する。
【００７０】
サーバ装置５において映像作品形成処理を行う場合、携帯端末６から、履歴情報に含まれるユーザＩＤに対応付けて記憶された撮像情報が、サーバ装置５に送信される。撮像情報には、さらに、携帯端末６で撮像情報を撮像した際に参照した履歴テーブルの履歴テーブルＩＤが含まれる。また、カラオケ装置２からは、履歴テーブルがサーバ装置５に送信される。サーバ装置５は、カラオケ装置から送信された履歴テーブルのうち、撮像情報に対応付いた履歴テーブルＩＤに基づいて、履歴テーブルを選択し、当該履歴テーブルに登録されている履歴情報に含まれるユーザＩＤに対応する撮像情報と、当該履歴情報に含まれる楽曲ＩＤに対応する楽曲音を対応付ける映像作品形成処理を実行する。
【００７１】
図１６には、映像作品情報の各種形態を示したものである。映像作品情報は、履歴情報中に含まれる楽曲ＩＤに対応する楽曲音を対応付けることで形成される。楽曲ＩＤに対応する楽曲音としては、録音処理で録音した歌唱音声情報の他、カラオケ装置２で使用した楽曲情報の演奏音、あるいは、カラオケ業者側で用意したメロディ音（例えば、オルゴール音）を使用することが可能である。携帯端末６で映像作品情報を形成する場合、このような楽曲音は、履歴リストを配信する際、同時に配信することが考えられる。
【００７２】
図１６（Ａ）は、履歴リスト中の歌唱順にしたがって形成された映像作品情報の例である。この例は、履歴テーブル中の歌唱順番号、あるいは、時間情報の順番に基づいて、楽曲音の再生順を決定したケースであり、履歴情報に対応する楽曲音に同期して、当該履歴情報に対応して撮像された撮像情報が再生（表示）される。なお、この例では、１つの楽曲に３枚の撮像情報を使用しているが、撮像情報の枚数は任意とすることが可能である。また、撮像情報には、静止画のみならず動画を使用することも可能である。また、本実施形態では、楽曲音の再生開始時に、タイトル情報Ｔを表示させることとしている。タイトル情報Ｔには、楽曲名、ユーザ名、歌唱した時間が表示される。この例では、カラオケ店舗での歌唱の順を再現することが可能である。タイトル情報Ｔには、この他、履歴テーブルに含まれるカラオケ装置ＩＤ、あるいは、店舗ＩＤを利用して、カラオケを行った場所（市町村名やカラオケ店舗名）を表示することとしてもよい。
【００７３】
図１６（Ｂ）は、履歴情報中の歌唱評価情報の高低に基づいて、楽曲音の再生順を決定したケースであり、この例では、歌唱評価情報の低い順に楽曲音が再生される。ユーザは、その日のカラオケ店舗での歌唱を、歌唱評価の順に従って、カラオケの思い出を振り返ることが可能である。この場合、タイトル情報Ｔには、楽曲名、歌唱評価情報（採点値）、ユーザ名が表示される。
【００７４】
図１６（Ｃ）は、履歴情報中のユーザ毎に楽曲音を再生するケースである。図１１の３人の利用ユーザＡ〜Ｃの場合、例えば、ユーザＡ、ユーザＢ、ユーザＣの順で、各ユーザが歌唱した楽曲が連続して再生が行われる。この場合、タイトル情報Ｔには、ユーザ名、歌唱した時間が表示される。
【００７５】
以上、説明したように、映像作品情報における楽曲音の再生順は、履歴情報中の各種情報を使用して適宜決定することが可能である。本実施形態では、装置（携帯端末６）において自動的に形成することとしているが、ユーザの操作が関与する形態としてもよい。例えば、全ての履歴情報を使用するのではなく、使用する履歴情報を選択することを可能とする等、適宜形態を採用することが可能である。また、再生する演奏音は、楽曲の最初から最後までを再生するのではなく、一部区間（例えば,サビ部分など）として短く再生することとしてもよい。その際、ユーザが再生区間を指定可能としてもよい。
【００７６】
また、撮像情報に動画が使用される場合、動画の撮像時間に基づき、楽曲音の演奏時間を調整しても良い。例えば、動画の撮像時間よりも、楽曲音の演奏時間が長い場合は、動画の撮像時間に合わせて、サビ部分が必ず含まれるように楽曲音の演奏時間を調整する。具体的には、動画の撮像時間と、サビ部分が楽曲音の演奏開始時間からどのくらいの時間経過後に到来し、サビ部分が何秒継続するかという情報とに基づいて処理を行う。例えば、動画の撮像時間が５０秒であって、サビ部分が楽曲音の演奏開始時間から５０秒後に到来し、サビ部分が３０秒間続く場合を考える。この場合、楽曲音は、サビ部分の前後１０秒を含む時間分、すなわち、楽曲音の演奏開始時間を起点として、４０秒後から９０秒後までが再生されることになる。これに限らず、楽曲音の演奏開始時間から動画の撮像時間分だけ経過した時間に、楽曲音の再生を停止するとしても良い。
【００７７】
また、本実施形態では、１台の携帯端末６で撮像した撮像情報を使用して、映像作品情報を形成することとしているが、図１３に示すように複数台の携帯端末６を使用している場合には、各携帯端末６で撮像した撮像情報を使用して、１の映像作品情報を形成することとしてもよい。このような場合、各携帯端末６で撮像した撮像情報を、サーバ装置５に集め、サーバ装置５、携帯端末６、カラオケ装置２の何れか、あるいは、複数が連携して映像作品形成処理を実行することが考えられる。
【００７８】
図１４の撮像画面では、使用箇所指示ボタン６０４を操作することで、撮像する撮像情報の使用箇所を指示できる形態としているが、このように、撮像情報の使用箇所が指示された場合、楽曲音の再生時、使用箇所に対応する区間再生中、あるいは、当該区間再生中の適宜タイミングで、再生時に当該撮像情報が再生される。このように、本実施形態の映像作品形成処理では、履歴情報に対応する楽曲音と、履歴情報に対応付けて撮像された撮像情報とが対応付けて再生される形態であればよく、細部については、各種の形態を採用することが可能である。
【００７９】
映像作品形成処理（Ｓ７１１）において、映像作品情報が完成した場合、ユーザは、完成した映像作品情報を携帯端末６で再生し、確認するプレビュー処理（Ｓ７１３）を行うことが可能である。また、本実施形態では、完成した映像作品情報を、他のユーザに対して公開する投稿処理を行うことが可能である。投稿が選択された場合（Ｓ７１４：Ｙｅｓ）、携帯端末６は、サーバ装置５に対して完成した映像作品情報を送信する。サーバ装置５では、受信した映像作品情報を、インターネットを介して広く公開することが可能である。なお、この投稿処理において、公開対象となるユーザは、広く一般に公開する形態の他、ユーザを指定して公開することとしてもよい。あるいは、歌唱に参加したユーザ（図１１の場合、ユーザＡ〜Ｃ）が視聴可能とし、内輪で楽しむ形態としてもよい。
【符号の説明】
【００８０】
１ａ、１ｂ…リモコン装置                     ５…サーバ装置
１１…タッチパネルモニタ                     ５１…記憶装置
１１ａ…表示部                               ６…携帯端末
１１ｂ…タッチパネル                         ６１…制御部
１２…ビデオＲＡＭ                           ６２…ＲＡＭ
１３…映像制御部                             ６３…記憶部
１４…メモリ                                 ６４…画像制御部
１５…ＣＰＵ                                 ６５Ｆ…フロントカメラ
１６…無線ＬＡＮ通信部                       ６５Ｒ…リアカメラ
１７…操作部                                 ６６…音響処理部
１８…操作処理部                             ６７ａ…スピーカ
１９…赤外線通信部                           ６７ｂ…マイクロホン
２…カラオケ装置（コマンダ）                 ６８…タッチパネル表示部
２１…操作部                                 ６８ａ…タッチパネル
２２…操作処理部                             ６８ｂ…表示部
２３…赤外線通信部                           ６９ａ…携帯網通信部
２４…ＬＡＮ通信部                           ６９ｂ…無線ＬＡＮ通信部
２５…音響制御部                             ７０…入力スイッチ
２７…メモリ                                 ７１…外部入力端子
２８…ビデオＲＡＭ                           ４１…モニタ
２９…映像再生部                             ７２…外部メモリ接続端子
３０…制御部                                 ８１…音響制御部
３１…映像制御部                             ８２…スピーカ
３２…ＨＤＤ（ハードディスク）               １００…ＬＡＮ
４２…スピーカ                               １１０…アクセスポイント
４４ａ、４４ｂ…歌唱用マイク（マイクロホン） １２０…ルータ
【図１】
0006278404.tif 000002
【図２】
0006278404.tif 000003
【図３】
0006278404.tif 000004
【図４】
0006278404.tif 000005
【図５】
0006278404.tif 000006
【図６】
0006278404.tif 000007
【図７】
0006278404.tif 000008
【図８】
0006278404.tif 000009
【図９】
0006278404.tif 000010
【図１０】
0006278404.tif 000011
【図１１】
0006278404.tif 000012
【図１２】
0006278404.tif 000013
【図１３】
0006278404.tif 000014
【図１４】
0006278404.tif 000015
【図１５】
0006278404.tif 000016
【図１６】
0006278404.tif 000017